(57)【要約】【課題】アダプタ等の付加部品をつけることなく、先端チップの外径寸法が異なるレフィルを取り付け可能な繰出式筆記具を提供すること。【解決手段】軸筒４内に、先端チップ２４とインキ収容筒１０とを有するレフィル６と、出没機構７と、を備え、先端チップ２４が、筆記部材としてのボール２３と、ボール抱持室９ａとインキ流通孔９ｂとを有するチップ本体９と、を備え、軸筒４内に配設したスライド部材５と軸筒４との間に配設した弾発部材１３によりスライド部材５を後方へ弾発し、スライド部材５の内周部に前部内段５ｃを形成し、出没機構７にレフィル６の後部を着脱自在に保持するレフィル支持部１７ａを設け、スライド部材５の前部内段５ｃに、先端チップ２４の前端傾斜部９ｃとを当接させ、スライド部材５の前部内段５ｃと出没機構７のレフィル支持部１７ａとでレフィル６を狭持して保持することで、弾発部材１３によってレフィル６を後方へ弾発させる。【選択図】図１
2019089272.tif 000002
【特許請求の範囲】
【請求項１】
軸筒内に、筆記部である先端チップと筆記具用インキ組成物を収容するインキ収容筒とを備えたレフィルと、該レフィルを前記軸筒の前端開口部から出没させる出没機構と、を備えた繰出式筆記具であって、
前記先端チップが、筆記部材としてのボールと、前記ボールを抱持するためのボール抱持室と当該ボール抱持室の底壁の中央に形成されたインキ流通孔とを有するチップ本体と、を備え、前記ボール抱持室に挿入した前記ボールを、前記チップ本体に設けた前端傾斜部の前端部を内側にかしめることにより、該ボールの一部が該チップ本体の先端縁より突出した状態で回転自在に抱持させ、
前記軸筒内に、該軸筒に対して前後動自在に形成されたスライド部材が配設され、前記スライド部材と前記軸筒との間に弾発部材を配設することで該スライド部材を後方へ弾発し、
前記スライド部材の内周部に、軸方向前方へ向って縮径するよう傾斜して形成された前部内段を備え、前記出没機構に、前記レフィルの後部を着脱自在に保持するレフィル支持部が設けれており、
前記スライド部材の前部内段に前記先端チップの前端傾斜部を当接させ、前記スライド部材の前部内段と前記出没機構のレフィル支持部とで前記レフィルを狭持して保持することで、前記レフィルを、前記弾発部材により前記スライド部材を介して後方に弾発させたことを特徴とする繰出式筆記具。
【請求項２】
前記スライド部材が、前部外側面に形成され軸方向に沿って延びる第一側面と、後部外側面に外方へ向って突出するように形成された第二側面と、を備え、
前記軸筒の内周面に、軸方向に沿って延び前記スライド部材の第一側面をガイドする第一孔部と、軸方向に沿って延び前記スライド部材の第二側面をガイドする第二孔部と、を備えたことを特徴とする請求項１に記載の繰出式筆記具。
【請求項３】
前記レフィルを前記軸筒の前端開口部から突出させた筆記状態における前記弾発部材の弾発力を２．０Ｎ以上、３．９Ｎ以下としたことを特徴とする請求項１または２に記載の繰出式筆記具。
【請求項４】
前記軸筒の第二孔部の後方に、内方へ向って突出する内突起を備え、前記内突起と前記スライド部材とを当接可能に構成することで、該スライド部材の後方への移動を制限したことを特徴とする請求項１ないし３の何れか１項に記載の繰出式筆記具。
【発明の詳細な説明】
【技術分野】
【０００１】
本発明は、レフィルとそれを収容した繰出式筆記具に関する。詳細には、外径の異なるレフィルを装着可能な繰出式筆記具に関する。
【背景技術】
【０００２】
従来から、この種の繰出式筆記具としては、例えば特許文献１に開示しているように、長さと外径の異なる二種類のレフィルに対応できるように、筆記具本体内のレフィル保持部に前後方向で内径の異なる嵌着孔を段状に形成したものが知られている。
この特許文献１では、リフィール固定用受具の内面の設けた第１のリフィール嵌着孔の奥に内径が小さい第２のリフィール嵌着孔を設けることで、各々の嵌着孔に長さと外径の異なる二種類のレフィルを選択的に固定できるようになっている。
【０００３】
しかしながら、特許文献１の構造では、第１のリフィール嵌着孔と第２のリフィール嵌着孔とを軸方向における同じ位置には形成できないため、長さが同じで外径のみが異なるレフィルには対応できないという問題点があった。
【０００４】
一方、この問題を解決する技術としては、例えば本件出願人が特許文献２に開示しているように、レフィルの円筒状収容部後方外面にアダプタを着脱可能に嵌合することで、外径が異なる複数種のレフィルを取り付け可能とした技術が知られている。
【先行技術文献】
【特許文献】
【０００５】
【特許文献１】実公平４−３２３０９号公報
【特許文献２】特開２０１３−２３７１８９号公報
【発明の概要】
【発明が解決しようとする課題】
【０００６】
しかしながら、特許文献２の構造では、装着しているレフィルを外径が異なる別のレフィルに交換する際は、レフィル外面に装着されているアダプタを取り外し、別のアダプタを装着したレフィルへと付け替える必要があり、交換に手間が掛かかると共に、付け替え時に外したアダプタは別途保管せねばならず、紛失してしまう虞があった。
また、特許文献１及び特許文献２ではレフィル後部のインキ収容筒の外径や長さが異なるものを交換可能とすることができるが、レフィル前端に固定される先端チップなどの筆記部の外径が異なる場合には適用できないものであった。
【０００７】
本発明は、前記問題を鑑みてなされたものであって、アダプタ等の付加部品をつけることなく、先端チップの外径寸法が異なるレフィルを取り付け可能な繰出式筆記具を提供することを目的とした。
【課題を解決するための手段】
【０００８】
本発明は、
「１．軸筒内に、筆記部である先端チップと筆記具用インキ組成物を収容するインキ収容筒とを備えたレフィルと、該レフィルを前記軸筒の前端開口部から出没させる出没機構と、を備えた繰出式筆記具であって、
前記先端チップが、筆記部材としてのボールと、前記ボールを抱持するためのボール抱持室と当該ボール抱持室の底壁の中央に形成されたインキ流通孔とを有するチップ本体と、を備え、前記ボール抱持室に挿入した前記ボールを、前記チップ本体に設けた前端傾斜部の前端部を内側にかしめることにより、該ボールの一部が該チップ本体の先端縁より突出した状態で回転自在に抱持させ、
前記軸筒内に、該軸筒に対して前後動自在に形成されたスライド部材が配設され、前記スライド部材と前記軸筒との間に弾発部材を配設することで該スライド部材を後方へ弾発し、
前記スライド部材の内周部に、軸方向前方へ向って縮径するよう傾斜して形成された前部内段を備え、前記出没機構に、前記レフィルの後部を着脱自在に保持するレフィル支持部が設けれており、
前記スライド部材の前部内段に前記先端チップの前端傾斜部を当接させ、前記スライド部材の前部内段と前記出没機構のレフィル支持部とで前記レフィルを狭持して保持することで、前記レフィルを、前記弾発部材により前記スライド部材を介して後方に弾発させたことを特徴とする繰出式筆記具。
２．前記スライド部材が、前部外側面に形成され軸方向に沿って延びる第一側面と、後部外側面に外方へ向って突出するように形成された第二側面と、を備え、
前記軸筒の内周面に、軸方向に沿って延び前記スライド部材の第一側面をガイドする第一孔部と、軸方向に沿って延び前記スライド部材の第二側面をガイドする第二孔部と、を備えたことを特徴とする前記１項に記載の繰出式筆記具。
３．前記レフィルを前記軸筒の前端開口部から突出させた筆記状態における前記弾発部材の弾発力を２．０Ｎ以上、３．９Ｎ以下としたことを特徴とする前記１項または２項に記載の繰出式筆記具。
４．前記軸筒の第二孔部の後方に、内方へ向って突出する内突起を備え、前記内突起と前記スライド部材とを当接可能に構成することで、該スライド部材の後方への移動を制限したことを特徴とする前記１項ないし３項の何れか１項に記載の繰出式筆記具。」である。
【０００９】
本発明によれば、弾発部材によりスライド部材を後方へ弾発し、スライド部材の前部内段と、先端チップの前端傾斜部とを当接可能に構成することで、スライド部材の前部内段と出没機構のレフィル支持部とで狭持して保持することができ、筆記時にチップ先端が軸筒の前端内部に当接することなく、ペン先を出没可能にすることができる。更に軸筒内に収容したレフィルを先端チップの外径が異なる他のレフィルに交換した場合でも、横ブレすることなく、綺麗な筆跡で筆記をすることができる。
【００１０】
また、本発明によれば、先端チップはスライド部材に常時、当接し、筆記時にはスライド部材が軸筒の内壁面に当接することになる。このため、異なる外径の先端チップを用いた場合であっても、スライド部材と軸筒の内壁面とのクリアランスは一定となり、先端チップががたつくことがなく、筆感を低下させることはない。さらに、先端チップは通常、耐磨耗性、切削性、耐食性を考慮した材質を選定しているが、軸筒とスライド部材は材料の制約が少なく、予めメッキ加工やフッ素加工などの表面処理を施したりして当接時の感触を高めたり、出没時の滑り性を高めたりすることもでき、更に、軸筒とスライド部材の少なくともどちらか一方を樹脂材料とすることで、接触音を低減することもできる。
【００１１】
また、スライド部材の前部内周面に形成され軸方向に沿って延びる第一側面と、後部外周面に外方へ向って突出するように形成された第二側面と、を設け、更に、軸筒の内周面に、軸方向に沿って延びスライド部材の第一側面をガイドする第一孔部と、軸方向に延びスライド部材の第二側面をガイドする第二孔部と、を設けることが好ましく、この場合、軸筒の第一孔部及び第二孔部により、スライド部材の前後の外側面をガイドすることで、筆記時の筆圧がスライド部材に掛かった際にスライド部材が軸筒の軸方向に対して傾くことを防止し、それにより、レフィルの傾動を防止する効果を奏する。
尚、軸筒内面に設けスライド部材のガイドとなる第一孔部及び第二孔部は、軸筒内面に直接形成してもよく、別部品で形成して固着、係止、螺着等により固定させてもよい。
【００１２】
また、スライド部材を弾発する弾発部材の弾発力は２．０Ｎ以上、３．９Ｎ以下に設定することが好ましく、この場合、レフィルを軸筒先端から容易に突出させることができ、更に、筆記時にレフィルに対して軸方向に対して直交する方向に力が掛かっても、スライド部材が前進することなくレフィルを支えることができる。このため、筆記時にレフィルの先端が横ぶれすることを防止できる。  
【００１３】
更に、軸筒の内周部に内突起を設け、スライド部材が後退した際に該スライド部材と突起部とが当接するよう構成することが好ましく、この場合、スライド部材の後退量を制限することでスライド部材が軸筒から外れてしまうことを防止すると共に、スライド部材に装着されているレフィルを容易に取り外して交換することができる。
尚、軸筒内周部に設ける内突起は、軸筒に対して一体的に形成されていてもよく、別体で形成したものを圧入、接着、螺号等により固着させて一体化させてもよい。
【発明の効果】
【００１４】
本発明により、アダプタ等の付加部品をつけることなく、先端チップの外径寸法が異なるレフィルを取り付け可能な繰出式筆記具を提供することができた。
【図面の簡単な説明】
【００１５】
【図１】実施例１の繰出式筆記具の縦断面図である。
【図２】図１における、要部拡大縦断面図である。
【図３】スライド部材を先口に装着する状態を説明するための分解図である。
【図４】実施例１の出没機構を説明するための分解図である。
【図５】摺動コマに棒状ピンを挿着する際の状態を説明するための斜視図である。
【図６】回転カムのカム溝の展開図である。
【図７】回転カムのカム溝と摺動コマのカム突起の摺接状態を示す説明図であり、図７（ａ）は摺動コマのカム突起がカム溝の第一カム斜面の後部に摺接している状態を示しており、図７（ｂ）は摺動コマのカム突起がカム溝の第一段部に摺接している状態を示しており、図７（ｃ）は摺動コマのカム突起がカム溝の第二カム斜面の後部に摺接している状態を示しており、図７（ｄ）は摺動コマのカム突起がカム溝の第三段部に摺接している状態を示している。
【図８】図１の状態から第１ボールペンレフィルの前端部を繰り出した状態を示す縦断面図である。
【図９】繰出式筆記具で筆跡を消去する状態を説明するための説明図である。
【図１０】第２ボールペンレフィルを軸筒内に収納する状態を説明するための説明図である。
【図１１】第２ボールペンレフィルを軸筒内に収納した状態を示す縦断面図である。
【図１２】図１１の状態から第２ボールペンレフィルを前進させた状態を示す縦断面図である。
【図１３】図１２の状態から第２ボールペンレフィルの前端部を繰り出した状態を示す縦断面図である。
【図１４】図１３の状態で紙面Ｈに筆記する動作を説明するための要部拡大縦断面図である。
【００１６】
次に図面を参照しながら、本発明の繰出式筆記具を詳細に説明するが、本発明は以下の実施例に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１７】
実施例１
本実施例の繰出式筆記具１は、図１から図９に示すように、軸本体２の前方に配設した先口３を螺合することで軸筒４を形成してあり、先口３内に前後動可能に配設されたスライド部材５と、軸筒４内に前後動可能に配設されスライド部材５の前端開口部５ａから出没可能な第１ボールペンレフィル６（レフィル）と、軸本体４内に配設され第１ボールペンレフィル６を着脱自在に保持する出没機構７と、軸筒の後方に着脱自在に装着されたキャップ体８と、により構成してある。
【００１８】
第１ボールペンレフィル６（レフィル）は、図１及び図２に示すように、チップ本体９に設けたボール抱持室９ａと、ボール抱持室９ａの中央にインキ流通孔９ｂと、このインキ流通孔に連通するよう放射状に延び、チップ後部孔に達しないインキ流通溝（図示せず）を有するとともに、ボール抱持室９ａの底壁に、φ０．５ｍｍのタングステンカーバイド製のボール２３を載置し、前端傾斜部９ｃの前端を内側にかしめたカシメ部９ｄを形成することにより、ボール２３の一部がチップ本体９の先端縁より突出するように回転自在に抱持した筆記部となるボールペンチップ２４（先端チップ）を、樹脂製のインキ収容筒１０の前端部に、チップホルダー１１を介して装着してある。また、インキ収容筒１０の後端部には尾栓２５を装着してある。また、図示はしてないが、ボール２３の後方には、ボール２３を常時、前方へ押圧する内スプリングを配設してある。
【００１９】
また、インキ収容筒１０内には、図示はしてないが、可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性インキと、このインキの後端に、グリース状のインキ追従体を直に収容してある。
【００２０】
この第１ボールペンレフィル６で筆記すると、ボールペンチップ２４のボール２３の回転と筆圧によって、ボール２３がチップ本体９の底壁側に移動して、チップ本体９の先端部の内壁とボール２３とに隙間を生じ、熱変色性インキを吐出して筆記することができる。
【００２１】
軸本体２は、図１に示すように、筒状に形成してあり、前方開口部２ａには前方側から同じく筒状に形成した前方内筒１２の外周部１２ａを圧入固着して一体化してある。
また、前方内筒１２の前部内周部には雌螺子部１２ｂを形成してあり、後部内周部には内段部１２ｃを形成してある。
【００２２】
先口３は、図１から図３に示すように、前後に貫通する内孔３ａが形成してあり、内孔３ａは中央部に内段部３ｂが形成され、前部内孔３ａ１（軸筒の第一孔部）に比べて後部内孔３ａ２の方が拡径した状態で形成してある。
また、内孔３ａには前後に摺動可能なスライド部材５が後方から挿入してあり、内段部３ｂとスライド部材５の外周部に形成した後部外段５ｂとの間に第１コイルスプリング１３（弾性部材）を張架して、第１コイルスプリング１３によりスライド部材５を後方に弾発してある。  
【００２３】
更に、先口３の後部外周部には雄螺子部３ｃが形成してあり、雄螺子部３ｃを前方内筒１２の雌螺子部１２ｂに螺合することで、先口３を軸本体２に対して着脱自在に螺着してある。
【００２４】
また、スライド部材５の内周部には、第１ボールペンレフィル６のチップ本体９の前端傾斜部９ｃと当接し、且つ、内方へ向かって傾斜した前部内段５ｃが形成してある。
尚、前部内段５ｃの軸方向に対する傾斜角度と、チップ本体９の前端傾斜部９ｃの軸方向に対する傾斜角度と、の差は、チップ本体９の前端傾斜部９ｃとスライド部材５の前部内段５ｃとの隙間が小さく、安定した状態で当接するよう±５°以内に形成することが好ましい。本実施例では、チップ本体９の前端傾斜部９ｃの軸方向に対する傾斜角度は１７．５°で形成してあり、前部内段５ｃの傾斜角度は１５°で形成してある。
【００２５】
更に、先口３の後部内孔３ａ２には、リング状に形成され内周面に内突起１４ｂを備えたストッパリング１４を圧入してあり、ストッパリング１４の内孔１４ａ（軸筒の第二孔部）とスライド部材５の後部に設けた鍔部５ｄ（第二側面）とが摺接するよう形成すると共に、先口３の前部内孔３ａ１（第一孔部）とスライド部材５の前部外周面５ｅ（第一側面）とが摺接するよう形成し、前後２箇所でスライド部材５と摺接するよう構成することで、筆記時の筆圧がスライド部材に掛かった際、スライド部材５が先口３（軸筒４）の軸方向に対して傾くことを防止してある。
また、ストッパリング１４の内突起１４ｂとスライド部材５の後端部５ｆとを当接するよう構成することで、スライド部材５の後方への移動を制限して先口３から当該スライド部材５が抜けることを防止してある。
【００２６】
尚、本実施例では、図１の第１コイルスプリング１３の取付時の弾発力は１．６Ｎに設定してあり、第１ボールペンレフィル６の前端を先口３の前端開口部から突出させた図７の筆記時における弾発力は３．５Ｎに設定した。
【００２７】
軸本体２の後部内方には、図１及び図４に示すように、軸本体２の後方開口部から挿入され、筒状に形成された後方内筒１５が配設されており、後方内筒１５の前端内周部１５ａを前方内筒１２の後部外周面１２ｄに圧入することで、後方内筒１５を軸本体２に着脱不能に装着してある。
尚、後方内筒１５の側面には内外を貫通し軸方向に延びるスリット１５ｂを形成すると共に、後部に縮径された後段部１５ｃを形成してある。  
【００２８】
後方内筒１５の内方には、後部に外段部１６ａを備え筒状に形成された回転カム１６が配設してある。更に、回転カム１６の後部は、後方内筒１５の後方開口部から後方へ向って突出しており、後部外側面に外方へ向って突出するように形成された突起部１６ｂを、軸周方向に均等に配置されるように複数形成してある。
また、図４から図６に示すように、回転カム１６の側面には内外を貫通し軸方向（前後方向）に対して傾斜したカム溝１６ｃが形成してある。そして、カム溝１６ｃの両端部には繰出用カム斜面１６ｄ（第一カム斜面１６ｄ１、第二カム斜面１６ｄ２）が形成され、２つの繰出用カム斜面１６ｄの間には長さ調整用カム斜面１６ｅを形成してある。更に、長さ調整用カム斜面１６ｅと２つの繰出用カム斜面１６ｄとの境には軸周方向に沿って延びる段部１６ｆ（第一段部１６ｆ１、第二段部１６ｆ２）が形成してある。尚、第一カム斜面１６ｄ１の前端部にも同様に、軸周方向に沿って延びる段部１６ｆ（第三段部１６ｆ３）が形成してある。
更に、回転カム１６は、後方内筒１５の後部内段１５ｄと前方内筒１２の後端との間に配設することで、回転可能且つ前後動不能に構成してある。
【００２９】
回転カム１６の内方且つ第１ボールペンレフィル６の後方には、図１、図４及び図５に示すように、前部が筒状に形成された摺動コマ１７が配設されており、摺動コマ１７の側面に形成した孔部１７ｃには、棒状ピン１８を圧入装着してある。これにより、摺動コマ１７の側面から突出するカム突起１８ａが形成される。また、摺動コマ１７の前部内周部には、内方へ向って突出するように形成された内方突起１７ａと、内方突起１７ａの両側端に軸方向へ延びる長孔部１７ｂと、が形成してあり、レフィル支持部となる内方突起１７ａにより第１ボールペンレフィル６の外周部を狭持することで、摺動コマ１７で第１ボールペンレフィル６を着脱自在に把持してある。尚、長孔部１７ｂにより、内方突起１７ａが弾性変形し易くなるよう構成することで、第１ボールペンレフィルは適宜な力（０．５〜１．０Ｎ）で把持されている。
また、カム突起１８ａは、後方内筒１５のスリット１５ｂへ遊嵌すると共に、回転カム１６のカム溝１６ｃにも遊嵌させることで、カム突起１８ａがスリット１５ｂ及びカム溝１６ｃに対して摺動できるようにしてある。
【００３０】
摺動コマ１７の前端と前方内筒１２の段部１２ｃとの間には、図１に示すように、第２コイルスプリング１９が圧縮状態で配設してあり、第２コイルスプリング１９により軸筒に対して回転カム１６を後方に弾発してある。
尚、後方内筒１５と回転カム１６と摺動コマ１７と第２コイルスプリング１９とにより、回転カム１６を回転させることで摺動コマ１６を前後動させ、第１ボールペンレフィル６を軸筒３の前端開口部３ｄから出没させるための出没機構７が構成される。  
【００３１】
また、後方内筒１５の後段部１５ｃには、リング状に形成した固定リング２０が圧入装着してあり、回転カム１６の後部内孔には熱可塑性エラストマーで形成した摩擦体２２を着脱不能に係着してある。
【００３２】
更に、摩擦体２２の外方には固定リング２０の後部までを覆う蓋状に形成したキャップ体８が配設してあり、キャップ体８の内孔部８ａには嵌合リング２１が着脱不能に圧入装着してある。そして、嵌合リング２１を回転カム１６の突起部１６ｂに係合させることで、キャップ体８を回転カム１６に着脱自在に装着してある。
尚、嵌合リング２１の内周面と回転カム１６の突起部１６ｂとを係合した際の嵌合力は、キャップ体８を回転させた際に回転カム１６がキャップ体８に連動して回転するよう、５Ｎ以上の嵌合力を備えた状態に調整してある。
【００３３】
ここで、紙面Ｈに筆記した筆跡を熱変色するには、図９に示すとおり、回転カム１６に係合しているキャップ体８を取り外し、露出した摩擦体２２を第１ボールペンレフィル６が装着された状態の繰出式筆記具１で紙面Ｈに筆記した筆跡に圧接し、擦ることで発生する熱によって、熱変色性インキの筆跡を熱消色させることができる。
【００３４】
次に、図１、図７及び図８を用いて、第１ボールペンレフィル６の前端部を先口３（軸筒４）の前端開口部３ｄより突出させる状態を説明する。
図１の状態から、キャップ体８を右方向（図１における矢印方向）に回転させると、キャップ体８に係合している回転カム１６が連動して同右方向に回転し、後方内筒１５のスリット１５ｂ及び回転カム１６に形成したカム溝１６ｃの第一カム斜面１６ｄ１の後部に摺接しているカム突起１８ａ（図７（ａ）参照）が、第２コイルスプリング１９の弾発力に抗してスリット１５ｂ及び第一カム斜面１６ｄ１に摺接しつつ前方側に移動していく。
これに伴って、摺動コマ１７がカム突起１８ａと共に前方へと移動していき、摺動コマ１７によって把持されている第１ボールペンレフィル６も前進する。そして、第１ボールペンレフィル６のボールペンチップ２４の前端傾斜部９ｃに前部内段５ｃが当接しているスライド部材５も第１コイルスプリング１３の弾発力に抗して同時に前進し、先口３の前端開口部３ｄからボールペンチップ２４の前端部とスライド部材５の前端部の両方が突出する図８の状態となる。
【００３５】
そして、図８の先口３の前端開口部３ｄからボールペンチップ２４の前端部とスライド部材５の前端部の両方が突出した際には、図７（ｂ）に示すように、カム突起１８ａは第一カム斜面１６ｄ１に連接している段部１６ｆ１へ係止される。これによりボールペンチップ２４（第１ボールペンレフィル６）の前端部とスライド部材５の前端部が先口３の前端開口部３ｄから突出した状態が維持される。更に、段部１６ｆ１は軸方向に対して直交する方向（円周方向）に延びていることから、カム突起１８ａが第一カム斜面１６ｄ１から段部１６ｆ１に移動した際の回転抵抗の変化により、使用者は第１ボールペンレフィル６の繰り出しが終了したことを目視だけでなく触感でも認識できる。
【００３６】
また、図８の状態からキャップ体８を左方向（図８における矢印方向）に回転させると、第１コイルスプリング１３及び第２コイルスプリング１９の弾発力によりスライド部材５、第１ボールペンレフィル６及び摺動コマ１７が後方へ押され、カム突起１８ａが第一カム斜面１６ｄ１に摺接しながら後方へ移動し、第１ボールペンレフィル６が軸筒４内に没入された図１の状態に戻る。
尚、図８の状態では、スライド部材５は第１コイルスプリング１３及び第２コイルスプリング１９の弾発力により後方へ弾発されているため、カム突起１８ａの摺接位置が第一段部１６ｆ１から第一カム斜面１６ｄ１に移ると、後はキャップ体８から手を離しても第１コイルスプリング１３及び第２コイルスプリング１９の弾発力だけで回転カム１６が回転し、第１ボールペンレフィル６は自動的に図１の状態まで後退するよう構成してある。
【００３７】
次に、繰出式筆記具１の第１ボールペンレフィル６（レフィル）を、全長とボールペンチップの外径寸法が異なる第２ボールペンレフィル６０（他のレフィル）に交換し、繰出式筆記具１００に組み換えする動作を図１及び図７から図１４を用いて説明する。
【００３８】
第２ボールペンレフィル６０は、図示していないが、第１ボールペンレフィル６と同様に、チップ本体６１に設けたボール抱持室と、ボール抱持室の中央にインキ流通孔と、このインキ流通孔に連通する放射状に延び、チップ後部孔に達しないインキ流通溝を有するとともに、ボール抱持室の底壁に、φ０．５ｍｍのタングステンカーバイド製のボール６３を載置し、前端傾斜部６１ａの前端を内側にかしめたカシメ部６１ｂを形成することにより、ボール６３の一部がチップ先端より突出するように回転自在に抱持した筆記部となるボールペンチップ６４を、金属製のインキ収容筒６２の先端部に、直接装着してある。また、インキ収容筒６２の後端部には尾栓を装着してある。更に、ボール６３の後方には、ボールを常時、押圧する内スプリング（図示せず）を配設してあり、インキ収容筒６２内には前述した第１ボールペンレフィル６に使用したインキと同仕様のものを収容してある。
【００３９】
尚、ボールペンチップ６４のチップ本体６１の外径寸法はボールペンチップ２４に比べて小径で形成してある。具体的には、ボールペンチップ２４のチップ本体９の外径が２．５ｍｍで形成してあり、ボールペンチップ６４のチップ本体６１の外径は２．３ｍｍで形成してあることから０．２ｍｍ小径となる。
また、チップ本体６１の前端傾斜部６１ａの軸方向に対する傾斜角度は、スライド部材５の前部内段５ｃの軸方向に対する傾斜角度１５°と同じく１５°で形成してあり、これにより前端傾斜部６１ａと前部内段５ｃは面全体で当接し、第二ボールペンレフィル６０（チップ本体６１）はスライド部材５により安定した状態で支持される。
【００４０】
ここで、図１の状態から、先口３を軸本体２に対して回転させ、螺合を解除して該先口３を該軸本体２から取り外し、第１ボールペンレフィル６を軸本体２から前方へ引き抜くことで、第１ボールペンレフィル６を軸本体２から取り外すことができる。
そして、図１０のように第２ボールペンレフィル６０を後端側から軸本体２の内部に挿入して摺動コマ１７の内方突起１７ａで把持させ、先口３を螺合により再度取り付けることで第２ボールペンレフィル６０が軸筒４内に装着された図１１の状態となる。
【００４１】
この時、第２ボールペンレフィル６０は第１ボールペンレフィル６と比べて全長が短いことから、図１１のようにボールペンチップ６１の先端は先口３の前端開口部３ａから大きく没入した状態となる。このため、キャップ体８を右方向へ回転させ、図７（ａ）の状態から第一カム斜面１６ｄ１に摺接しているカム突起１８ａを、第一カム斜面１６ｄ１及び第一段部１６ｆ１を超えて長さ調整用カム斜面１６ｄに進め、更に、キャップ体８を回転させ、カム突起１８ａを第二段部１６ｆ２を経て第二カム斜面１６ｄ２の後部に摺接する図７（ｃ）の状態まで前進させることで、図１２に示すように、第１ボールペンレフィル６の没入状態と同様の位置まで第２ボールペンレフィル６０のボールペンチップ６１の前端部を前進させることができる。
【００４２】
そして、図１２の状態からキャップ体８を右方向（図１２における矢印方向）に回転させると、キャップ体８に係合している回転カム１６が連動して同右方向に回転し、スリット１５ｂ及び第二カム斜面１６ｄ２の後部に摺接しているカム突起１８ａが、第２コイルスプリング１９の弾発力に抗してスリット１５ｂ及び第二カム斜面１６ｄ２に摺接しつつ前方側に移動する。
これに伴って、摺動コマ１７がカム突起１８ａと共に前方へと移動していき、摺動コマ１７によって把持されている第２ボールペンレフィル６０も前進していく。そして、第２ボールペンレフィル６０のボールペンチップ６１の前端傾斜部６１ａに前部内段５ｃが当接しているスライド部材５も第１コイルスプリング１３の弾発力に抗して同時に前進し、先口３の前端開口部３ｄからボールペンチップ６１の前端部とスライド部材５の前端部の両方が突出する図１３の状態となる。
【００４３】
尚、第１ボールペンレフィル６の場合と同様に、図１３の先口３の前端開口部３ｄからボールペンチップ６１の前端部とスライド部材５の前端部の両方が突出した際、カム突起１８ａは第二カム斜面１６ｄ２の前端部に連接している第三段部１６ｆ３へ係止される図７（ｄ）の状態になる。これによりボールペンチップ６４の前端部とスライド部材５の前端部が先口３の前端開口部３ｄから突出した状態が維持される。また、このとき使用者は、カム突起１８ａが第二カム斜面１６ｄ２から第三段部１６ｆ３に移動した際の回転抵抗の変化により、第２ボールペンレフィル６０の繰り出しが終了したことを目視だけでなく触感でも認識することができる。
【００４４】
また、図１３の状態からキャップ体８を左方向（図１３における矢印方向）に回転させると、第１コイルスプリング１３及び第２コイルスプリング１９の弾発力により後方へ押されたスライド部材５、第１ボールペンレフィル６１及び摺動コマ１７は、カム突起１８ａが第二カム斜面１６ｄ２に摺接しながら後方へ移動し、ボールペンチップ６１（第２ボールペンレフィル６０）の前端が軸筒４内に没入された図１２の状態に戻る。
尚、第２ボールペンレフィル６０を没入させる際、使用者は、カム突起１８ａが第二カム斜面１６ｄ２から第二段部１６ｆ２に移動する際の回転抵抗の変化により、第２ボールペンレフィル６０の没入が終了したことを目視だけでなく触感でも認識でき、第２ボールペンレフィル６０を没入させすぎることを防止できる。
更に、第１ボールペンレフィル６の場合と同様に、図１３の状態では、スライド部材５は第１コイルスプリング１３及び第２コイルスプリング１９の弾発力により後方へ弾発されているため、カム突起１８ａの摺接位置が第三段部１６ｆ３から第二カム斜面１６ｄ２に移ると、後はキャップ体８から手を離しても第１コイルスプリング１３及び第２コイルスプリング１９の弾発力だけで回転カム１６が回転し、第２ボールペンレフィル６０は自動的に図１１の状態まで後退するよう構成してある。この際、第二カム斜面１６ｄ２に沿って後退したカム突起１８ａの摺接位置が第二カム斜面１６ｄ２から第二段部１６ｆ２に移った時点で回転カム１６は回転力を喪失し、それ以上は回転しなくなるため、ボールペンレフィル６０が更に没入した図１１の状態まで戻ることはない。
【００４５】
次に、第２ボールペンレフィル６０のボールペンチップ６４の前端が先口３の前端開口部３ａから突出した図１３の状態で、図１４のように筆記する際の状態を説明する。
図１４に示すように、紙面Ｈに垂直な方向に対して３０°傾斜した状態で繰出式筆記具１００を把持して通常の筆圧（約３Ｎ）で筆記すると、ボールペンチップ６４は軸方向に対して直交する方向（図１４の矢印Ｐ方向）に約１．５Ｎの力を受ける。この際、ボールペンチップ６４の外径寸法はボールペンチップ２４の外径寸法より０．２ｍｍ小さいことから、スライド部材５の内周面とボールペンチップ６のチップ本体６１との間には隙間Ｓ（０．１ｍｍ）が形成され、チップ本体６１の前端傾斜部６１ａと前部内段５ｃとで当接するスライド部材５には前端傾斜部６１ａに沿って前方側へ約０．４Ｎの力が掛かる。
この時、スライド部材５は、第１ボールペンレフィル６が装着されていた場合と同様に筆記時では第１コイルスプリング１３により後方へ弾発力３．５Ｎで弾発されている。このため、筆圧が掛かっても第１コイルスプリング１３の弾発力によりスライド部材５が前進することはなく、ボールペンチップ６４をしっかり支持し、横方向（軸方向に対して直交する方向）に軸ぶれすることなく筆記を継続することができる。
【００４６】
尚、筆圧は人によって１Ｎ〜１０Ｎ程度と個人差があり、更に、筆記時に筆記面に垂直な方向に対して軸筒を傾ける角度も０°〜４５°程度と差があるが、ボールペンチップの前端が軸筒４の前端開口部３ｄから突出させた筆記状態（図８及び図１３の状態）において、第１コイルスプリング１３（弾発部材）の弾発力を２．０Ｎ以上３．９Ｎ以下に設定することで、ボールペンチップを前方へ繰出す際の回転抵抗を抑えて繰出し易くすると共に、筆記時にスライド部材５が前進することを防ぎ、結果としてチップ先端の横ぶれを防止することができる。
【００４７】
尚、本実施例では、全長及びボールペンチップの外径寸法が異なる２種類のボールペンレフィルを出没自在に収納する繰出式筆記具を例示したが、回転カムの側面に繰出用カム斜面と長さ調整用カム斜面を納めることが可能であり、且つ、ボールペンチップの前端傾斜部がスライド部材の前部内段に当接可能に構成されていれば、３種類、５種類等、任意に選定して実施が可能である。
また、インキ収容筒に収納するインキも特に限定されることはなく、油性、水性、ゲルインキ等、任意に組合わせることができる。
【符号の説明】
【００４８】
１…繰出式筆記具、
２…軸本体、２ａ…前方開口部、２ｂ…内周面、
３…先口、３ａ…内孔、３ａ１…前部内孔（軸筒の第一孔部）、
３ａ２…後部内孔、３ｂ…内段部、３ｃ…雄螺子部、３ｄ…前端開口部、
４…軸筒、
５…スライド部材、５ａ…前端開口部、５ｂ…後部外段、５ｃ…前部内段、
５ｄ…鍔部（第二側面）、５ｅ…前部外周面（第一側面）、５ｆ…後端部、
６…第１ボールペンレフィル（レフィル）、
７…出没機構、
８…キャップ体、８ａ…内孔部、
９…チップ本体、９ａ…ボール抱持室、９ｂ…インキ流通孔、９ｃ…前端傾斜部、
９ｄ…カシメ部、
１０…インキ収容筒、
１１…チップホルダー、
１２…前方内筒、１２ａ…外周部、１２ｂ…雌螺子部、
１２ｃ…内段部、１２ｄ…後部外周面、
１３…第１コイルスプリング（弾発部材）、
１４…ストッパリング、１４ａ…内孔（軸筒の第二孔部）、１４ｂ…内突起、
１５…後方内筒、１５ａ…前端内周部、１５ｂ…スリット、
１５ｃ…後段部、１５ｃ…後段部、後部内段１５ｄ、
１６…回転カム、１６ａ…外段部、１６ｂ…突起部、１６ｃ…カム溝、
１６ｄ…繰出用カム斜面、１６ｄ１…第一カム斜面、１６ｄ２…第二カム斜面、
１６ｅ…長さ調整用カム斜面、１６ｆ…段部、１６ｆ１…第一段部、
１６ｆ２…第二段部、１６ｆ３…第三段部、
１７…摺動コマ、１７ａ…内方突起（レフィル支持部）、１７ｂ…長孔部、
１７ｃ…孔部、
１８…棒状ピン、１８ａ…カム突起、
１９…第２コイルスプリング、
２０…固定リング、
２１…嵌合リング、
２２…摩擦体、
２３…ボール、
２４…ボールペンチップ（先端チップ）、
２５…尾栓、
６０…第２ボールペンレフィル（他のレフィル）、
６１…チップ本体、６１ａ…前端傾斜部、６１ｂ…カシメ部、
６２…インキ収容筒、
６３…ボール、
６４…ボールペンチップ（先端チップ）、
１００…繰出式筆記具、
Ｈ…紙面。
【図１】
2019089272.tif 000003
【図２】
2019089272.tif 000004
【図３】
2019089272.tif 000005
【図４】
2019089272.tif 000006
【図５】
2019089272.tif 000007
【図６】
2019089272.tif 000008
【図７】
2019089272.tif 000009
【図８】
2019089272.tif 000010
【図９】
2019089272.tif 000011
【図１０】
2019089272.tif 000012
【図１１】
2019089272.tif 000013
【図１２】
2019089272.tif 000014
【図１３】
2019089272.tif 000015
【図１４】
2019089272.tif 000016